(57)【要約】【課題】複雑な処理が不要であり、操作性がよい情報提供システムを提供する。【解決手段】情報提供システム１は、表示部１２と、端末アンテナ１１と、制御部１３とを備える情報端末１０と、ＩＣチップ６１及びタグアンテナ６２を備えるＩＣタグ６０を一方の面に備える紙片５１を複数備える冊子５０と、端末アンテナ１１に電磁誘導方式により結合する第１アンテナ４１と、タグアンテナ６２に電磁誘導方式により結合する第２アンテナ４２と、第１アンテナ４１と第２アンテナ４２とを接続するアンテナ接続部４３とを備える中継装置２０とを備え、情報端末１０は、中継装置２０を介してＩＣタグ６０と通信し、制御部１３は、ＩＣチップ６１に記憶された閲覧情報に接続するための接続情報を読み出し、接続情報に基づいて、閲覧情報を記憶するサーバ９０に接続して閲覧情報を読み出し、表示部１２により使用者に提供するものとした。【選択図】図１
2015069558.tif 000002
【特許請求の範囲】
【請求項１】
使用者に情報を伝達可能な伝達部と、前記伝達部とは異なる面側に設けられたループアンテナである端末アンテナと、前記端末アンテナを用いた通信及び通信網を介した通信を制御する制御部とを備える情報端末と、
ＩＣチップ及びタグアンテナを備えるＩＣタグを一方の面に備える紙片を複数備える冊子と、
前記端末アンテナに電磁誘導方式により結合する第１アンテナと、前記タグアンテナに電磁誘導方式により結合する第２アンテナと、前記第１アンテナと前記第２アンテナとを接続する接続部とを備える中継装置と、
を備える情報提供システムであって、
前記情報端末は、前記中継装置を介して前記ＩＣタグと通信し、
前記制御部は、前記ＩＣチップに記憶された閲覧情報に接続するための接続情報を読み出し、前記接続情報に基づいて、前記閲覧情報を記憶する閲覧情報記憶部に接続して閲覧情報を読み出し、前記伝達部により使用者に伝達して提供すること、
を特徴とする情報提供システム。
【請求項２】
請求項１に記載の情報提供システムにおいて、
前記冊子は、見開いた状態で、表表紙側又は裏表紙側の一方側が、前記第２アンテナ上に載置され、前記冊子の見開いた２頁のうち前記一方側の頁を有する前記紙片に配置された前記ＩＣタグと、前記情報端末とが通信可能であり、
見開いた前記２頁のうち前記一方側の頁を有する前記紙片は、その紙片より前記第２アンテナ側に他の紙片が位置する場合に、前記他の紙片に配置された前記ＩＣタグを被覆する領域に形成され、磁界を遮蔽する遮蔽層を有すること、
を特徴とする情報提供システム。
【請求項３】
請求項１又は請求項２に記載の情報提供システムにおいて、
前記冊子は、見開いた状態で、表表紙側が、前記第２アンテナ上に載置され、前記冊子の見開いた２頁のうち表表紙側の頁を有する前記紙片に配置された前記ＩＣタグと、前記情報端末とが通信可能であり、
前記ＩＣタグを備える複数の前記紙片のうち、前記冊子を閉じた状態で、最も表表紙側に位置する紙片よりも裏表紙側の紙片は、裏表紙側から見てそれよりも表表紙側の紙片のＩＣタグを被覆する領域に、磁界を遮蔽する遮蔽層が形成されていること、
を特徴とする情報提供システム。
【請求項４】
請求項１から請求項３までのいずれか１項に記載の情報提供システムにおいて、
前記閲覧情報記憶部は、前記情報端末と通信可能であり、前記情報端末の前記伝達部で伝達可能な閲覧情報を記憶するサーバであり、
前記情報端末は、通信網を介してサーバと通信可能であり、
前記サーバは、前記情報端末からの要求に基づいて前記閲覧情報を送信すること、
を特徴とする情報提供システム。
【請求項５】
請求項１から請求項４までのいずれか１項に記載の情報提供システムにおいて、
前記情報端末は、読み出した前記接続情報に基づいて、中継サーバに接続し、前記接続情報を前記中継サーバに送信し、
前記中継サーバは、受信した前記接続情報に基づいて、前記閲覧情報記憶部への接続情報を選択して前記情報端末に送信し、
前記情報端末は、前記中継サーバによって選択された接続情報に基づいて、前記閲覧情報記憶部に接続すること、
を特徴とする情報提供システム。
【請求項６】
請求項１から請求項５までのいずれか１項に記載の情報提供システムにおいて、
前記接続情報は、ＵＲＬ情報、前記ＩＣタグの識別情報、パスの少なくともいずれかを含むこと、
を特徴とする情報提供システム。
【発明の詳細な説明】
【技術分野】
【０００１】
本発明は、冊子等の各頁の記載内容に関する情報を提供する情報提供システムに関するものである。
【背景技術】
【０００２】
従来、冊子等の各頁にＩＣタグを配置し、ＩＣタグと通信可能なリーダライタ機能を有する情報端末をＩＣタグに近づけてＩＣタグと通信させ、そのＩＣタグのメモリに記憶されている情報に基づいて、情報端末がネットワークを介してサーバに接続し、その頁に関連する情報を取得し、表示部等に表示する情報提供システムが知られている（例えば、特許文献１参照）。
【先行技術文献】
【特許文献】
【０００３】
【特許文献１】特開２０１０−８６２０９号公報
【発明の概要】
【発明が解決しようとする課題】
【０００４】
例えば、特許文献１の情報提供システムでは、情報端末は、一度に多くのＩＣタグと通信し、情報の読み出しを行う。そのため、ＩＣタグにシーケンス番号等の情報を記憶させ、それらの情報を読み出した情報端末が最適なＩＣタグを選択し、その情報に基づいてサーバに接続して情報を取得するため、情報端末側の処理が煩雑であった。
【０００５】
近年、内部にループアンテナを備えるスマートフォン等の情報端末が広く普及している。この内部アンテナは、情報端末がＩＣカード等の媒体との間でＮＦＣ（Ｎｅａｒ  Ｆｉｅｌｄ  Ｃｏｍｍｕｎｉｃａｔｉｏｎ）規格等に基づいて通信するためのものである。
このような情報端末の普及により、特別な送受信装置を持たなくとも、ＮＦＣ規格に基づく通信を行うことができる環境が広がりつつある。そして、ＮＦＣ規格の通信を使用した、従来よりも操作性のよい情報提供システムの開発・普及も期待されている。
【０００６】
本発明の課題は、複雑な処理が不要であり、操作性がよい情報提供システムを提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、使用者に情報を伝達可能な伝達部（１２）と、前記伝達部とは異なる面側に設けられたループアンテナである端末アンテナ（１１）と、前記端末アンテナを用いた通信及び通信網（７０）を介した通信を制御する制御部とを備える情報端末（１０）と、ＩＣチップ（６１）及びタグアンテナ（６２）を備えるＩＣタグ（６０）を一方の面に備える紙片（５１）を複数備える冊子（５０）と、前記端末アンテナに電磁誘導方式により結合する第１アンテナ（４１）と、前記タグアンテナに電磁誘導方式により結合する第２アンテナ（４２）と、前記第１アンテナと前記第２アンテナとを接続する接続部（４３）とを備える中継装置（２０）と、を備える情報提供システムであって、前記情報端末は、前記中継装置を介して前記ＩＣタグと通信し、前記制御部は、前記ＩＣチップに記憶された閲覧情報に接続するための接続情報を読み出し、前記接続情報に基づいて、前記閲覧情報を記憶する閲覧情報記憶部に接続して閲覧情報を読み出し、前記伝達部により使用者に伝達して提供すること、を特徴とする情報提供システム（１）である。
請求項２の発明は、請求項１に記載の情報提供システムにおいて、前記冊子（５０）は、見開いた状態で、表表紙側又は裏表紙側の一方側が、前記第２アンテナ（４２）上に載置され、前記冊子の見開いた２頁のうち前記一方側の頁を有する前記紙片に配置された前記ＩＣタグ（６０）と、前記情報端末（１０）とが通信可能であり、見開いた前記２頁のうち前記一方側の頁を有する前記紙片は、その紙片より前記第２アンテナ側に他の紙片が位置する場合に、前記他の紙片に配置された前記ＩＣタグを被覆する領域に形成され、磁界を遮蔽する遮蔽層（５３）を有すること、を特徴とする情報提供システム（１）である。
請求項３の発明は、請求項１又は請求項２に記載の情報提供システムにおいて、前記冊子（５０）は、見開いた状態で、表表紙側が、前記第２アンテナ（４２）上に載置され、前記冊子の見開いた２頁のうち表表紙側の頁を有する前記紙片（５１）に配置された前記ＩＣタグ（６０）と、前記情報端末（１０）とが通信可能であり、前記ＩＣタグを備える複数の前記紙片のうち、前記冊子を閉じた状態で、最も表表紙側に位置する紙片よりも裏表紙側の紙片は、裏表紙側から見てそれよりも表表紙側の紙片のＩＣタグを被覆する領域に、磁界を遮蔽する遮蔽層が形成されていること、を特徴とする情報提供システム（１）である。
請求項４の発明は、請求項１から請求項３までのいずれか１項に記載の情報提供システムにおいて、前記閲覧情報記憶部は、前記情報端末（１０）と通信可能であり、前記情報端末の前記伝達部で伝達可能な閲覧情報を記憶するサーバ（９０）であり、前記情報端末は、通信網（７０）を介してサーバと通信可能であり、前記サーバは、前記情報端末からの要求に基づいて前記閲覧情報を送信すること、を特徴とする情報提供システム（１）である。
請求項５の発明は、請求項１から請求項４までのいずれか１項に記載の情報提供システムにおいて、前記情報端末（１０）は、読み出した前記接続情報に基づいて中継サーバ（８０）に接続し、前記接続情報を前記中継サーバに送信し、前記中継サーバは、受信した前記接続情報に基づいて、前記閲覧情報記憶部への接続情報を選択して前記情報端末に送信し、前記情報端末は、前記中継サーバによって選択された接続情報に基づいて、前記閲覧情報記憶部に接続すること、を特徴とする情報提供システム（１）である。
請求項６の発明は、請求項１から請求項５までのいずれか１項に記載の情報提供システムにおいて、前記接続情報は、ＵＲＬ情報、前記ＩＣタグの識別情報、パスの少なくともいずれかを含むこと、を特徴とする情報提供システム（１）である。
【発明の効果】
【０００８】
本発明によれば、複雑な処理が不要であり、操作性がよく情報提供システムを提供できるという効果を奏する。
【図面の簡単な説明】
【０００９】
【図１】実施形態の情報提供システム１を説明する図である。
【図２】実施形態の冊子５０を説明する図である。
【図３】ＩＣタグ６０を説明する図である。
【図４】実施形態の情報提供システム１の使用状態を説明する図である。
【図５】実施形態の情報提供システム１の使用状態での断面図ある。
【図６】実施形態の冊子５０におけるＩＣタグ６０及び遮蔽層５３の配置例を説明する図である。
【図７】実施形態のＩＣタグ６０と第２アンテナ４２との結合を説明する図である。
【図８】実施形態の情報提供システム１のブロック図である。
【図９】実施形態の情報提供システム１の処理の一例を示すシーケンス図である。
【図１０】実施形態の情報提供システム１の処理の一例を示すシーケンス図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
【００１１】
（実施形態）
図１は、本実施形態の情報提供システム１を説明する図である。
なお、図面の理解を容易にするために、各図には、図１の状態を基準として、左右方向Ｘ軸、奥行き方向（後述する冊子５０の天地方向）Ｙ軸、鉛直方向（厚み方向）Ｚ軸の座標軸を、適宜設けた。
図１、図２に示すように、情報提供システム１は、情報端末１０、中継装置２０、冊子５０、冊子５０に配置されたＩＣタグ６０を備える。情報提供システム１は、情報端末１０が中継装置２０の第１アンテナ部２１上に配置され、見開いた状態の冊子５０の表表紙側又は裏表紙側のいずれか一方が中継装置２０の第２アンテナ部２２上に配置されることにより、情報端末１０及び冊子５０に配置されたＩＣタグ６０が、中継装置２０を介して通信する。
【００１２】
情報端末１０は、ＮＦＣ規格に基づいて、他の媒体との間で通信可能な携帯情報端末である。情報端末１０は、情報提供システム１のために特別に用意したものではなく、いわゆるスマートフォンのような携帯電話機を用いることができる。情報端末１０の形状は、例えば、厚さが１０ｍｍ以内の薄い直方体である。
情報端末１０は、端末アンテナ１１、表示部１２、制御部１３、記憶部１４を備える。
端末アンテナ１１は、ループアンテナである。端末アンテナ１１は、情報端末１０内の表示部１２とは反対側の背面側（図１では、Ｚ１側）に収容されている。
【００１３】
表示部１２は、タッチパネルであり、情報端末１０の表示装置、入力装置を兼用するものである。表示部１２は、情報端末１０の一方の面である正面側（図１では、Ｚ２側）に配置されている。表示部１２の大きさは、例えば３〜５インチ程度である。情報端末１０の外形は、この表示部１２の外形よりも一回り大きい程度である。
この表示部１２は、情報端末１０の操作情報を示したり、後述するように、インターネットや移動体通信網（無線基地局、交換局を含む）等のネットワーク７０を介してサーバ９０等から得られた情報を表示したりできる（図８参照）。
また、情報端末１０は、不図示のスピーカ等も備えており、音声等も再生可能である。表示部１２及びスピーカは、使用者に情報を伝達する伝達部である。
【００１４】
制御部１３は、情報端末１０を統括的に制御するための制御装置であり、例えば、ＣＰＵ（中央処理装置）等から構成される。この制御部１３は、端末アンテナ１１を制御することにより、他の媒体との間で、電磁誘導方式によって、非接触により直接通信をする機能を有する。また、制御部１３は、不図示のアンテナを介して、ネットワークを介してサーバ９０と通信を行うことができる。
記憶部１４は、情報端末１０の動作に必要な情報や、プログラム、アプリケーション、各種情報等を記憶するための半導体メモリ素子等の記憶装置である。
【００１５】
本実施形態では、情報端末１０は、この非接触通信としてＮＦＣ規格（ＩＳＯ／ＩＥＣ１８０９２（ＮＦＣ  ＩＰ−１）、ＩＳＯ／ＩＥＣ２１４８１（ＮＦＣ  ＩＰ−２））に基づいて、１３．５６ＭＨｚの電磁波を利用して、冊子５０のＩＣタグ６０との間で直接通信を行い、ＩＣタグ６０の情報を読み取ったり、更新したりする機能を備える。
情報端末１０は、端末アンテナ１１が収容された背面側を、冊子５０のＩＣタグ６０上にかざすことにより、ＩＣタグ６０との間で、ＮＦＣ規格によって直接通信を行うこともできる。しかし、本実施形態では、後述するように、情報端末１０は、中継装置２０を介して、ＩＣタグ６０と通信を行う。
【００１６】
中継装置２０は、第１アンテナ部２１、第２アンテナ部２２、連結部２３を備える。
第１アンテナ部２１は、樹脂製の平板状の部材であり、その外形は、略矩形状であって情報端末１０の外形と略同じ大きさである。第１アンテナ部２１は、その内部に第１アンテナ４１を収容している。
また、第１アンテナ部２１は、その正面側（Ｚ２側）の面２１ａ上に情報端末１０を載置可能である。この面２１ａは、情報端末１０を載置する載置面となる。
【００１７】
第２アンテナ部２２は、樹脂製の平板状の部材であり、その外形は、閉じた状態の冊子５０の外形と略同じ、若しくはそれよりやや大きい程度の大きさである。第２アンテナ部２２は、その内部に第２アンテナ４２を収容している。
また、第２アンテナ部２２は、正面側（Ｚ２側）の面２２ａ上に、見開いた状態の冊子５０の表表紙側又は裏表紙側を載置可能である。この面２２ａは、冊子５０のＩＣタグ６０の読み取り面となる。
連結部２３は、第１アンテナ部２１と第２アンテナ部２２とを連結する樹脂製のコード状の部分である。連結部３３の内部には、第１アンテナ４１と第２アンテナ４２とを接続するアンテナ接続部４３が収容されている。
【００１８】
第１アンテナ４１は、例えば、３回巻き程度のループアンテナである。第１アンテナ４１は、例えば、電気基板（フレキシブル基板、リジット基板等）上にプリント配線により形成されたり、樹脂等の基材上に電線をループ状に配線したりして形成される。
第１アンテナ４１は、第１アンテナ部２１の内部であって面２１ａ側（Ｚ２側）の領域に配置される。これは、情報端末１０が第１アンテナ部２１上に載置された状態で、第１アンテナ４１を端末アンテナ１１に対してより近接して配置するためである。
【００１９】
第２アンテナ４２は、第１アンテナ４１と同様なループアンテナである。
第２アンテナ４２は、第２アンテナ部２２の内部であって面２２ａ側（Ｚ２側）の領域に配置される。これは、冊子５０が載置された状態において、第２アンテナ４２が冊子５０に配置された通信可能なＩＣタグ６０に対してより近接して配置されるようにするためである。
【００２０】
アンテナ接続部４３は、第１アンテナ４１及び第２アンテナ４２間を電気的に接続する部分である。アンテナ接続部４３は、第１アンテナ４１の両端部、第２アンテナ４２の両端部をそれぞれ電気的に接続する。
第１アンテナ４１、第２アンテナ４２、アンテナ接続部４３は、上記構成を実現できれば、いずれの形態でもよい。例えば、アンテナ接続部４３として電気ケーブル等を用いて、第１アンテナ４１及び第２アンテナ４２間を、電気的に接続してもよい。
【００２１】
図２は、本実施形態の冊子５０を説明する図である。図２（ａ）は、冊子５０の表表紙をめくって見開いた状態を示し、図２（ｂ）は、図２（ａ）の状態からさらに１頁めくって見開いた状態を示している。また、図２（ｃ）は、図２（ｂ）に示す矢印Ａ１−Ａ２での断面を模式的に示している。
冊子５０は、少なくとも連接された２つ以上の紙片５１からなり、見開き可能な形態であり、紙片５１の所定の位置に、ＩＣタグ６０を備えている。この冊子５０は、例えば、書籍や、カタログ、パンフレット、取り扱い説明書等である。紙片５１とは、冊子５０を構成するものであり、その両面、若しくは片面に各種情報（文字情報、写真、図柄等）が印刷されているものであるとする。
本実施形態の冊子５０は、左開きであり、表表紙を開いた状態で左側が１頁目、右側が２頁であるとする。また、冊子５０は、見開いた状態で左側（表表紙側）が第２アンテナ部２２上に載置される例を挙げて説明する。
【００２２】
図２（ｃ）に示すように、表表紙となる紙片５１は、基材層５２、厚み調整層５４、表面層５５、ＩＣタグ６０を備えている。また、それ以外の紙片５１は、基材層５２、遮蔽層５３、厚み調整層５４、表面層５５、ＩＣタグ６０を備えている。
基材層５２は、紙片５１のベース（基材）となる層である。基材層５２は、紙製等であり、その表面に印刷可能である。
【００２３】
図３は、ＩＣタグ６０を説明する図である。
ＩＣタグ６０は、ＩＣチップ６１、タグアンテナ６２、タグ基材６３を備え、基材層５２の裏表紙側の所定の位置に配置されている。このＩＣタグ６０は、矩形状等の薄いカード状であり、例えば、１０ｍｍ×１０ｍｍ〜３０×３０ｍｍ程度の外形であり、厚さも０．１〜１．０ｍｍ程度である。このＩＣタグ６０は、本実施形態の冊子５０を閉じた状態で、基材層５２の裏表紙側となる面に配置されている（図２（ｃ）参照）。
なお、ＩＣタグ６０の外形は、上記の例に限らず、円形形状や正方形形状、多角形形状等としてもよい。
【００２４】
タグ基材６３は、樹脂製又は紙製のシート状、フィルム状の部材であり、その少なくとも片面にタグアンテナ６２が形成され、片面にＩＣチップ６１が配置されている。
ＩＣチップ６１は、電磁誘導方式で信号伝達可能な集積回路である。ＩＣチップ６１は、ＩＣタグ６０の動作に必要なプログラム等を記憶する記憶部（図示せず）と、この記憶部に記憶されたプログラム等を適宜読み出して実行することにより、ＩＣタグ６０を統括的に制御する制御部（図示せず）とを備える。なお、この記憶部は、記憶情報の読み出し専用のタイプでも、記憶情報を書き換え可能のタイプでもよい。
タグアンテナ６２は、例えば、３回巻き程度のループアンテナである。タグアンテナ６２の両端の端子は、ＩＣチップ６１に接続されている。
【００２５】
ＩＣチップ６１の記憶部には、そのＩＣタグ６０の識別情報（ＩＤ）、そのＩＣタグ６０が配置された頁（配置された紙片５１の裏表紙側の面）やその向かい側の頁に記載された情報に対応する情報等、後述するサーバ９０に記憶された情報にアクセスするためのＵＲＬ（Ｕｎｉｆｏｒｍ  Ｒｅｓｏｕｒｃｅ  Ｌｏｃａｔｏｒ）情報、又は、後述する中継サーバ８０にアクセスするためのＵＲＬ情報、情報端末１０の記憶部１４に記憶された画像等へアクセスするためのパス等が記憶されている。
これらの情報は、情報端末１０との通信において、読み出し可能である。
【００２６】
図２（ｃ）に戻って、厚み調整層５４は、基材層５２のＩＣタグ６０が設けられた側の面（冊子５０を閉じた状態で裏表紙側となる面）に設けられた層である。厚み調整層５４は、ダンボール等の紙製等であり、その厚みがＩＣタグ６０の厚みと略同等である。この厚み調整層５４は、ＩＣタグ６０の厚みによる基材層５２の表面との段差を解消するために、ＩＣタグ６０が配置された領域以外の領域に形成されている。
このような厚み調整層５４を備えることにより、ＩＣタグ６０（特に、ＩＣチップ６１）の厚みによる段差等が解消される。
【００２７】
遮蔽層５３は、厚み調整層５４の基材層５２側の面の一部に設けられている。この遮蔽層５３は、冊子５０を見開いた状態で、その遮蔽層５３が形成された紙片５１よりも表表紙側に位置する紙片５１のＩＣタグ６０を被覆する領域に形成されている。また、この遮蔽層５３は、金属等の導体製であり、例えば、アルミニウムのラミネート箔や蒸着膜、銀インク等の導電性塗料の印刷や塗布による塗膜等により形成されている。
遮蔽層５３は、その遮蔽層５３が形成された紙片５１よりも表表紙側に位置する紙片５１のＩＣタグ６０のアンテナに電磁誘導される磁界を遮断する機能を有している。
なお、この遮蔽層５３は、厚み調整層５４の基材層５２とは反対側の面の一部に形成される形態としてもよい。
【００２８】
表面層５５は、基材層５２のＩＣタグ６０が設けられた側の面の最も表面側に配置され、ＩＣタグ６０や遮蔽層５３、厚み調整層５４等を被覆する層である。
表面層５５は、紙製又は樹脂製であり、その表面に印刷可能である。このような表面層５５を備えることにより、ＩＣタグ６０の存在を目立たないものとすることができる。また、遮蔽層５３が形成された領域上にも、印刷等を行うことができ、冊子の情報量の減少や、それを防止するためのページ数の増加等を抑制することができる。
【００２９】
ここで、情報端末１０及び冊子５０の中継装置２０を介した通信について説明する。
図４は、本実施形態の情報提供システム１の使用状態を説明する図である。
図５は、本実施形態の情報提供システム１の使用状態での断面図ある。
図４及び図５では、理解を容易にするために、冊子５０は、表表紙となる紙片５１のみを第２アンテナ部２２上に載置した例を挙げて説明する。
図４に示すように、使用者は、中継装置２０を机上等に配置し、第２アンテナ部２２上に、見開いた冊子５０の表表紙側を載置し、第１アンテナ部２１上に、情報端末１０を載置する。このとき、情報端末１０がＮＦＣ規格の通信を行えるように、使用者は、予め、情報端末１０の記憶部に記憶されているＮＦＣ規格の通信を可能とするアプリケーション等を起動させておく。
【００３０】
（第１アンテナ４１及び端末アンテナ１１の結合）
図５に示すように、情報提供システム１の使用時には、情報端末１０は、第１アンテナ部２１上に載置され、その状態が維持される。この状態では、第１アンテナ４１及び端末アンテナ１１が対向した状態になる。第１アンテナ４１及び端末アンテナ１１間の距離は、例えば、２０ｍｍ程度である。これにより、第１アンテナ４１及び端末アンテナ１１は、電磁誘導方式により結合し、情報を送受信できる。
【００３１】
（第２アンテナ４２及びタグアンテナ６２の結合）
また、図５に示すように、情報提供システム１の使用時には、見開いた状態の冊子５０の表表紙側が、第２アンテナ部２２上に載置される。このとき、紙片５１のＩＣタグ６０が、第２アンテナ部２２と通信可能であり、第２アンテナ４２及びそのＩＣタグ６０のタグアンテナ６２が対向した状態となる。第２アンテナ４２及びそのＩＣタグ６０のタグアンテナ６２間の距離は、例えば、約２０ｍｍ以内である。
【００３２】
前述の第１アンテナ４１及び端末アンテナ１１の結合により、第１アンテナ４１に発生した起電力によって、第２アンテナ４２に交流の電流が流れる。これにより、第２アンテナ４２及びタグアンテナ６２は、電磁誘導方式により結合し、情報を送受信できる。この場合、タグアンテナ６２に発生した起電力により、ＩＣチップ６１に駆動電力が伝達される。
以上の作用によって、情報端末１０の制御部１６及びＩＣタグ６０のＩＣチップ６１は、中継装置２０を介して、通信できる。
【００３３】
ここで、前述の端末アンテナ１１は、情報端末１０に収容されているので、端末アンテナ１１の外形は、情報端末１０よりも小さい。
一方、第１アンテナ４１の外形は、端末アンテナ１１の外形よりも十分に大きく、例えば、情報端末１０の外形の大きさとほぼ等しい。
このため、情報端末１０を第１アンテナ部２１上に載置した状態では、第１アンテナ４１の内側に、端末アンテナ１１が配置される。これにより、端末アンテナ１１及び第１アンテナ４１は、安定して結合できる。
端末アンテナ１１の収容位置は、情報端末１０の機種ごとに異なっている。本実施形態では、端末アンテナ１１は、情報端末１０のほぼ中央に収容されている例を挙げているが、上側や下側に偏って配置されている機種もある。中継装置２０は、第１アンテナ４１の外形を端末アンテナ１１の外形よりも十分に大きくして、いずれの情報端末１０が載置されても、第１アンテナ４１の内側に、端末アンテナ１１が配置されるようになっており、通信システム１の汎用性を向上できる。
【００３４】
また、前述の端末アンテナ１１及び第１アンテナ４１と同様に、第２アンテナ部２２の第２アンテナ４２の外形は、ＩＣタグ６０の後述するタグアンテナ６２の外形よりも、十分に大きく、例えば、冊子５０の紙片５１の大きさに等しい。
従って、冊子５０を見開き、表表紙側の紙片５１を第２アンテナ部２２上に載置した状態では、第２アンテナ４２の内側に、タグアンテナ６２が配置される。これにより、タグアンテナ６２及び第２アンテナ４２は、安定して結合できる。
【００３５】
図６は、本実施形態の冊子５０のＩＣタグ６０及び遮蔽層５３の配置例を説明する図である。図６では、理解を容易にするために、各紙片５１の基材層５２、ＩＣタグ６０、遮蔽層５３のみを示し、厚み調整層５４や表面層５５は、省略して示している。また、各紙片５１は、その裏表紙側の面を示している。
図７は、本実施形態のＩＣタグ６０と第２アンテナ４２との結合を説明する図である。
使用者は、１枚目の紙片５１である表表紙をめくり、冊子５０を見開く。このとき、図６に示すように、１枚目の紙片５１には、遮蔽層５３は形成されていない。
この状態で、見開いた状態の冊子５０の表表紙側を第２アンテナ部２２上に載置した場合、前述の図３及び図７（ａ）に示すように、１枚目の紙片５１のＩＣタグ６０は、通信可能である。
【００３６】
次に、使用者が頁をめくり、１枚目の紙片５１の上に、２枚目の紙片５１が重ねられる。２枚目の紙片５１では、図６（ａ）に示すように、遮蔽層５３が、前述の１枚目の紙片５１のＩＣタグ６０を被覆する領域に形成され、２枚目の紙片５１のＩＣタグ６０は、その遮蔽層５３に隣接し、かつ、１枚目の紙片５１のＩＣタグとは重複しない位置に配置されている。
この状態では、図７（ｂ）に示すように、１枚目の紙片５１のＩＣタグ６０は、遮蔽層５３に被覆されているため、そのタグアンテナ６２は、磁界が遮断され、第２アンテナ４２と結合できない。しかし、遮蔽層５３に遮蔽されていない２枚目の紙片５１のＩＣタグ６０のタグアンテナ６２は、第２アンテナ４２と結合でき、情報端末１０との通信が可能である。
【００３７】
次に、頁をめくり、１枚目及び２枚目の紙片５１の上に、３枚目の紙片５１が重ねられる。図６（ａ），図７（ｃ）に示すように、３枚目の紙片５１では、その遮蔽層５３が、前述の１枚目及び２枚目の紙片５１のＩＣタグ６０を被覆する領域に形成され、３枚目の紙片５１のＩＣタグ６０は、その遮蔽層５３に隣接して、かつ、前述の１枚目及び２枚目の紙片５１のＩＣタグ６０とは重複しない位置に配置されている。
この状態では、１枚目及び２枚目の紙片のＩＣタグ６０は、遮蔽層５３に被覆されるため、情報端末１０と通信ができない。しかし、遮蔽層５３に遮蔽されていない３枚目の紙片５１のＩＣタグ６０は、情報端末１０と通信が可能である。
【００３８】
このように、本実施形態の冊子５０では、見開き状態で表表紙側の最も上（Ｚ２側）に位置する紙片５１のＩＣタグは、遮蔽層５３に被覆されない、かつ、他のＩＣタグ６０とは重複しない位置に形成されている。また、遮蔽層５３は、それより下側（Ｚ１側、第２アンテナ部２２側）に位置する紙片５１のＩＣタグ６０を遮蔽する領域に形成されている。
従って、冊子５０において、情報端末１０と通信可能なＩＣタグ６０は、第２アンテナ部２２上に載置された見開き状態での表表紙側の最も上（Ｚ２側）に位置する紙片５１に設けられたＩＣタグ６０のみであり、他の紙片５１に設けられたＩＣタグ６０とは情報端末１０とは通信が不可能である。
【００３９】
本実施形態では、図６（ａ）に示すように、ＩＣタグ６０は、１枚目の紙片５１では、最も外周側（小口側、Ｘ１側）の最も天側（Ｙ２側）に配置され、２枚目の紙片５１では、天地方向（Ｙ方向）において１枚目の紙片５１のＩＣタグよりも地側（Ｙ１側）へ配置される。そして、３枚目の紙片５１では、天地方向（Ｙ方向）において２枚目の紙片５１のＩＣタグ６０よりも地側（Ｙ１側）に配置されというように、順に、地側へＩＣタグ６０が配置されている。
そして、６枚目の紙片５１で天地方向において最も地側にＩＣタグ６０が配置されると、次の７枚目の紙片５１では、１枚目の紙片５１のＩＣタグより内側（背側、Ｘ２側）の列の最も天側（Ｙ２側）に、ＩＣタグ６０が配置され、次の８枚目の紙片５１では、７枚目の紙片５１のＩＣタグ６０の地側にＩＣタグ６０が配置される。そして、前述のように、順に、地側へＩＣタグ６０が配置されている。
【００４０】
しかし、これに限らず、例えば、図６（ｂ）に示すように、紙片５１が進むごとに、天地方向（Ｙ方向）ではなく、左右方向（Ｘ方向、小口側から背側等）に、順にＩＣタグ６０が配置され、その行がうまると１つ地側（Ｙ１側）に配列されていく形態としてもよい。
また、図６（ｃ）や図６（ｄ）に示すように、冊子５０の各頁の印刷範囲外の領域に、順に、ＩＣタグ６０が配置されていく形態としてもよい。
また、本実施形態では、冊子５０の紙片５１の全てにＩＣタグ６０が配置される例を挙げて説明しているが、例えば、情報提供の必要な頁を有する紙片５１のみにＩＣタグ６０を配置する形態としてもよい。
【００４１】
ここで、本実施形態の情報提供システム１の情報提供方法について説明する。
図８は、本実施形態の情報提供システム１のブロック図である。
ネットワーク７０は、前述のように、インターネットや移動体通信網（無線基地局、交換局を含む）等の通信網である。
サーバ９０は、ＷＥＢサーバとして機能するコンピュータである。サーバ９０は、ＩＣチップ６１に記憶されたＵＲＬ情報に対応する情報を記憶している。この情報は、情報端末１０の表示部１２に表示する等して使用者が閲覧可能な閲覧情報（例えば、文字情報、画像、動画、音声等）であり、冊子５０に記載された情報のさらに詳細な情報である。サーバ９０は、情報端末１０からの要求に応じて、これらの閲覧情報を情報端末１０に送信する。
サーバ９０は、サーバ制御部９１、サーバ記憶部９２を備えている。
【００４２】
サーバ制御部９１は、サーバ９０を統括的に制御するための制御装置であり、例えば、ＣＰＵ等から構成される。サーバ制御部９１は、サーバ記憶部９２に記憶された各種プログラムを適宜読み出して実行可能である。
サーバ記憶部９２は、サーバ９０の動作に必要なプログラムや、情報等を記憶する半導体メモリ素子、ハードディスク等の記憶装置である。また、サーバ記憶部９２は、前述のＵＲＬ情報に対応した閲覧情報を記憶している。
【００４３】
中継サーバ８０は、ＷＥＢサーバとして機能するコンピュータである。中継サーバ８０は、情報端末１０から送信されたＩＣチップ６１のＩＤ等に応じて、情報端末１０がアクセスする閲覧情報のＵＲＬ情報を選択し、情報端末１０に送信する機能を有している。
中継サーバ８０は、中継サーバ制御部８１と、中継サーバ記憶部８２を備えている。
中継サーバ制御部８１は、中継サーバ８０を統括的に制御するための制御装置であり、例えば、ＣＰＵ等から構成される。この中継サーバ制御部８１は、情報端末１０から送信されたＩＣチップ６１のＩＤ等に基づいて、中継サーバ記憶部８２から閲覧情報のＵＲＬ情報を読み出し、情報端末１０に送信する機能を有する。
中継サーバ記憶部８２は、中継サーバ８０の動作に必要なプログラムや、情報等を記憶する半導体メモリ素子、ハードディスク等の記憶装置である。また、中継サーバ記憶部８２は、ＩＣタグ６０のＩＤに対応した閲覧情報のＵＲＬ等を記憶している。
【００４４】
本実施形態の情報提供システム１の動作について説明する。
図９は、本実施形態の情報提供システム１の処理の一例を示すシーケンス図である。
使用者は、前述のように、中継装置２０を、机上等に配置し、第１アンテナ部２１上に、ＮＦＣ規格の通信を可能とするアプリケーション等を起動させた状態の情報端末１０を載置する。
使用者が、ステップＳ（以下、単にＳという）１において、冊子５０を見開き、その表表紙側を第２アンテナ部２２の面２２ａ上に載置すると、表表紙側の最も上側（Ｚ２側）に位置する紙片５１のＩＣタグ６０のＩＣチップ６１が、第１アンテナ４１と端末アンテナ１１、第２アンテナ４２とタグアンテナ６２の結合により、中継装置２０を介して、情報端末１０の制御部１６と通信する。
そして、情報端末１０の制御部１６は、中継装置２０を介した通信により、ＩＣタグ６０のＩＣチップ６１内の記憶部に記憶されていたＵＲＬ情報等の情報を読み出す。このＵＲＬ情報は、通信可能なＩＣタグ６０が配置された紙片５１の裏表紙側の頁、及び、その次の紙片５１の表表紙側の頁の見開き２頁内の記載内容に関連する閲覧情報に対応するものである。
【００４５】
Ｓ２において、制御部１６は、ＩＣチップ６１から読み出されたＵＲＬ情報に基づいて、ネットワーク７０を介してサーバ９０に接続し、閲覧情報の送信を要求する。
なお、Ｓ２の前に、制御部１６が表示部１２に、「『ｈｔｔｐ：／／○○○・・・』にアクセスしますか？」等の表示を行い、使用者が、「はい」を選択した場合、読み出されたＵＲＬ情報に基づいて、ネットワーク７０を介して、所定のサーバ９０に接続し、使用者が、「いいえ」を選択した場合は、サーバ９０への接続を行わない形態としてもよい。
【００４６】
Ｓ３において、サーバ９０は、情報端末１０の要求に応じて、文字情報、画像、動画、音声等の閲覧情報を、情報端末１０に送信する。
Ｓ４において、情報端末１０の制御部１３は、受信したそれらの閲覧情報を、表示部１２等に表示、再生等する。
これにより、冊子５０の見開き２頁内に記載の情報に関連するより豊富な情報が、情報端末の表示部１２等に表示、再生され、使用者に提供される。
また、使用者によって、冊子５０の頁（紙片５１）がめくられた場合には、新たに、Ｓ１からの処理をおこなう。
【００４７】
冊子５０が、例えば、観光地のパンフレットやガイドブック等である場合には、冊子５０の頁をめくるごとに、その見開いた頁に記載されている観光地の見所や穴場等の詳細な情報や、観光地紹介の動画等を表示部１２に表示することができ、冊子５０に記載された情報よりも、より豊富な情報を使用者が得ることができる。
また、情報端末１０を、冊子５０の頁をめくるたびに各紙片のＩＣタグ６０上にかざすという動作が不要であり、また、かざすことによって、冊子５０の各頁に印刷された情報が隠れることもなく、操作性がよい。
さらに、情報端末１０は、常に１つのＩＣタグと通信するので、複雑な処理が不要である。
【００４８】
また、例えば、以下のような動作を行う情報提供システム１としてもよい。
図１０は、本実施形態の情報提供システム１の処理の一例を示すシーケンス図である。
Ｓ１１において、制御部１６は、中継装置２０を介してＩＣタグ６０と通信し、ＩＣタグ６０のＩＣチップ６１内のメモリに記憶されていた中継サーバ８０のＵＲＬ情報、ＩＣタグ６０に固有の識別情報（ＩＤ）等を読み出す。
Ｓ１２において、制御部１６は、読み出した中継サーバ８０のＵＲＬ情報に基づいて、ネットワーク７０を介して中継サーバ８０に接続し、ＩＤ等を中継サーバ８０に送信する。
Ｓ１３において、中継サーバ８０の中継サーバ制御部８１は、受信したＩＣチップ６１のＩＤに基づいて、中継サーバ８０の中継サーバ記憶部８２に記憶された閲覧情報に対応するＵＲＬ情報を選択し、Ｓ１４において、情報端末１０をそのＵＲＬ情報を情報端末１０に送信する。
【００４９】
Ｓ１５において、情報端末１０の制御部１３は、中継サーバ８０からＵＲＬ情報を受信すると、リダイレクト処理により、そのＵＲＬ情報に基づいて、サーバ９０に接続し、閲覧情報を要求する。
Ｓ１６において、サーバ９０のサーバ制御部９１は、情報端末１０の要求するＵＲＬ情報に対応した閲覧情報をサーバ記憶部９２から読み出し、情報端末１０に送信する。
Ｓ１７において、情報端末１０の制御部１６は、受信した閲覧情報を、表示部１２等により、表示・再生する。
これにより、冊子５０の見開き２頁内に記載の情報に関連するより豊富な情報が、情報端末の表示部１２に表示され、使用者に提供される。また、使用者によって冊子５０の頁がめくられた場合には、新たに、Ｓ１からの処理をおこなう。
【００５０】
このような形態とした場合には、例えば、前述のように、冊子５０が、観光地のパンフレットやガイドブック等である場合には、使用者がこの情報提供システム１を使用している季節に応じたお勧めの観光スポットや、現在の気候の情報等、冊子５０側の情報よりも、より更新頻度が高い、より新しい情報を得ることができる。
また、このような形態とすることにより、中継サーバ８０の中継サーバ記憶部８２に記憶された閲覧情報のＵＲＬを更新することで、冊子５０が複数存在する場合にも、ＩＣチップ６１側のメモリのＵＲＬ情報を頻繁に更新することなく、容易に常に新しい情報を使用者に提供できる。
【００５１】
さらに、これに限らず、制御部１６が中継装置２０を介した冊子５０との通信により読み出したＩＣタグ６０のＩＤ、パス等によって、例えば、制御部１６は、予めダウンロードする等により情報端末１０内の記憶部１４に記録されていた画像や動画等の閲覧情報を表示部１２に表示・再生させてもよいし、メーラーを起動させる、電話を起動させる等してもよい。
【００５２】
従って、本実施形態によれば、使用者は、冊子５０の頁をめくることにより、開かれた頁の情報に関するさらなる情報を情報端末１０から容易に得ることができ、情報端末１０が複雑な処理を行うことなく、操作性がよく、かつ、豊富な情報を得ることができる情報提供システム１を提供できる。
【００５３】
なお、本実施形態では、冊子５０は、観光案内のパンフレットである例を挙げて説明したが、これに限らず、例えば、機器の取り扱い説明書や、製品カタログ、各種教材や事典等としてもよい。また、例えば、冊子５０は、視覚等に障害を持つ使用者のための各種説明書やパンフレット等としてもよい。
【００５４】
（変形形態）
以上説明した実施形態に限定されることなく、種々の変形や変更が可能であって、それらも本発明の範囲内である。
（１）使用状態において、見開いた状態の冊子５０の表表紙側を第２アンテナ部２２上に載置し、遮蔽層５３は、その遮蔽層５３が形成された紙片５１よりも下側となる表表紙側に位置する紙片５１のＩＣタグ６０を全て被覆する位置に形成される例を示したが、これに限らず、見開いた状態の冊子５０の裏表紙側を第２アンテナ部２２上に載置し、遮蔽層５３が、その遮蔽層５３が形成された紙片５１よりも下側となる裏表紙側に位置する紙片５１のＩＣタグを全て被覆する位置に形成される形態としてもよい。
【００５５】
（２）冊子５０が、左開きである例を挙げて説明したが、これに限らず、右開きの冊子とし、見開いた状態の冊子５０の表表紙側が、第２アンテナ部２２上に載置される形態としてもよい。
【００５６】
（３）紙片５１は、例えば、表面層５５を備えない形態としてもよいし、厚み調整層５４及び表面層５５を備えない形態としてもよい。このとき、紙片５１のＩＣタグ６０が配置された側の表出した厚み調整層５４や基材層５２の表面には、文字や写真等の情報が印刷可能である形態としてもよいし、印刷等が施されない形態としてもよい。
また、例えば、表面層５５は、ＩＣタグ６０及び遮蔽層５３を被覆する一部領域のみに設ける形態としてもよい。
【００５７】
（４）ＩＣタグ６０は、全紙片５１に備えず、情報提供が必要な頁を備える紙片５１にのみ配置してもよい。
【００５８】
（５）中継装置２０と情報端末１０に限らず、リーダライタとこれが接続されるパーソナルコンピュータとを備える情報提供システムとしてもよい。
【００５９】
（６）冊子の基材層５２は、樹脂製としてもよい。
また、冊子５０は、多数の紙片５１からなるものに限らず、例えば、連接された２つの紙片５１からなる見開き２頁の冊子としてもよい。
【００６０】
（７）ループアンテナである第１アンテナ４１、第２アンテナ４２、端末アンテナ１１、タグアンテナ６２は、３巻き程度である例を挙げて説明したが、これに限らず、両者の間が電磁誘導方式で接続される巻き数であればよく、１巻以上であればよい。
【００６１】
なお、本実施形態及び変形形態は、適宜組み合わせて用いることもできるが、詳細な説明は省略する。また、本発明は以上説明した各実施形態によって限定されることはない。
【符号の説明】
【００６２】
１    情報提供システム
１０    情報端末
１１    端末アンテナ
２０    中継装置
２１    第１アンテナ部
２２    第２アンテナ部
４１    第１アンテナ
４２    第２アンテナ
５０    冊子
５１    紙片
５２    基材層
５３    遮蔽層
５４    厚み調整層
５５    表面層
６０    ＩＣタグ
６１    ＩＣチップ
６２    タグアンテナ
６３    タグ基材
【図１】
2015069558.tif 000003
【図２】
2015069558.tif 000004
【図３】
2015069558.tif 000005
【図４】
2015069558.tif 000006
【図５】
2015069558.tif 000007
【図６】
2015069558.tif 000008
【図７】
2015069558.tif 000009
【図８】
2015069558.tif 000010
【図９】
2015069558.tif 000011
【図１０】
2015069558.tif 000012